(57)【特許請求の範囲】
【請求項１】
ミラー及び取付け部を有するミラー体と、
このミラー体における取付け部の組み付けられる組付け部を一端側に備えた柄とを備えるデンタルミラーであって、
前記ミラー体が、前記柄に備えられている操作手段によって当該ミラー体におけるミラーの向きを変え得るように前記取付け部を前記柄の組付け部に組みつけてあると共に、
前記柄の先端側に照明手段を備えており、
かつ、前記柄が、筒状であって、その一端側に当該筒状をなす内部空間に連続した半球状凹部を有する組付け部を備えた構成としてあり、前記ミラー体の取付け部が、この半球状凹部に組み入れられる半球状部と当該半球状部から突設されて先端側にミラーを備えたロッド状部とを備えた構成としてあり、前記柄の先端側から当該ロッド状部を突き出すように取付け部における半球状部の半球状凸面を該半球状凹部の面に接しさせて当該半球状凹部に取付け部の半球状部を組み付けてあることを特徴とするデンタルミラー。
【請求項２】
前記柄に備えられている操作手段が、半球状凹部の半球状凹面に半球状凸面を接して備えられる半球状部の底面の中心から外れた位置を押すように備えられたロッドであることを特徴とする請求項１に記載のデンタルミラー。
【請求項３】
前記照明手段の光源が、発光ダイオードランプであることを特徴とする請求項１又は請求項２に記載のデンタルミラー。
【発明の詳細な説明】
【技術分野】
【０００１】
この発明は、口腔内における各種治療や検査、例えば、虫歯や歯茎や口腔内壁面等の治療や検査に用いるデンタルミラーの提供に関する。
【背景技術】
【０００２】
歯や歯茎等の治療や検査等に際して、歯等に妨げられて直接視認し難い部分や、歯肉や舌や口腔内壁面等によって隠されてしまう部分等を視認する手段としてデンタルミラーが一般的に用いられている。
【０００３】
かかるデンタルミラーは、通例、柄の先端部に一定の角度付けをした状態のミラーを当該柄に一体に設けた構成としてあり、このミラー側を口腔内に差し入れると共に、当該ミラーで患部等を確実に視認し得るように当該柄を操作していた。
【０００４】
しかしながら、治療用椅子等の所定の位置に所定の角度で位置づけられている患者等に対して所定の向きで当該患者等の開かれた口部から差し入れられたデンタルミラーの操作には自ずと限界があり、治療や検査等の対象部分を確実に視認し得るものではなかった。
【０００５】
また、開かれた患者等の口部を用いて口腔内に導かれる明るさには自ずと限界があり、ミラー面に写し出される患部等の対象面を確実に所定の明るさをもって写し出し難い場合があった。
【発明の開示】
【発明が解決しようとする課題】
【０００６】
この発明は、口腔内にミラーを差し入れて用いられるデンタルミラーにあって、目的とする視認対象部に向けて当該デンタルミラーのミラーの向きを容易に変更でき、しかも、所定の明るさのもとで確実に患部等対象部分をミラーに写し出し得るようにしたデンタルミラーを提供する。
【課題を解決するための手段】
【０００７】
この発明は前記課題を解決するため、ミラー及び取付け部を有するミラー体と、
このミラー体における取付け部の組み付けられる組付け部を一端側に備えた柄とを備えるデンタルミラーであって、
前記ミラー体が、前記柄に備えられている操作手段によって当該ミラー体におけるミラーの向きを変え得るように前記取付け部を前記柄の組付け部に組みつけてあると共に、
前記柄の先端側に照明手段を備えており、
かつ、前記柄が、筒状であって、その一端側に当該筒状をなす内部空間に連続した半球状凹部を有する組付け部を備えた構成としてあり、前記ミラー体の取付け部が、この半球状凹部に組み入れられる半球状部と当該半球状部から突設されて先端側にミラーを備えたロッド状部とを備えた構成としてあり、前記柄の先端側から当該ロッド状部を突き出すように取付け部における半球状部の半球状凸面を該半球状凹部の面に接しさせて当該半球状凹部に取付け部の半球状部を組み付けてあることを特徴とするデンタルミラーとしてある。
【０００８】
このように構成されるデンタルミラーにあっては、口腔内に差し入れられたデンタルミラーにおけるミラーの向きを変更して患部等の視認対象部分を確実に捕捉し、しかも、所定の明るさのもとで当該視認対象部分をミラー面に確実に写し出して用いることができる。
【０００９】
また、かかる構成からなるデンタルミラーにあっては、かかる患部等の視認対象部分の捕捉に際して、患者等の口部を無理に開きだす等被視認対象者に無理な負担を強いたり、視認者において無理な姿勢を要請されるなどの不具合が無く、視認対象部分を容易に、しかも、所定の明るさのもとで確実にミラー面に写し出して、的確な治療や検査等をなすことができる。
【００１０】
また、かかる構成からなるデンタルミラーにあっては、前記柄が、筒状であって、その一端側に当該筒状をなす内部空間に連続した半球状凹部を有する組付け部を備えた構成としてあり、前記ミラー体の取付け部が、この半球状凹部に組み入れられる半球状部と当該半球状部から突設されて先端側にミラーを備えたロッド状部とを備えた構成としてあり、前記柄の先端側から当該ロッド状部を突き出すように取付け部における半球状部の半球状凸面を該半球状凹部の面に接しさせて当該半球状凹部に取付け部の半球状部を組み付けてあることから、半球状凹部の半球状面と、取付け部とされる半球状部の半球状凸面とが互いに球面接触とされ、ミラーを備えたロッド状部の向きを自在に且つ滑らかに変更することができる。
【００１１】
また、前記構成に係るデンタルミラーにおいて、前記柄に備えられている操作手段が、半球状凹部の半球状凹面に半球状凸面を接して備えられる半球状部の底面の中心から外れた位置を押すように備えられた操作ロッドであることを特徴とするデンタルミラーにあっては、この操作ロッドの押戻し操作によって、半球状部の向きを円滑且つ自在に変更することができる。
【００１２】
また、前記構成に係るデンタルミラーにおいて、前記照明手段の光源が、発光ダイオードランプであることを特徴とするデンタルミラーにあっては、デンタルミラーにおける照明手段の設置が容易とされ、しかも、十分な明るさをミラーの写しだし面等にもたらすことができる。
【発明の効果】
【００１３】
この発明に係るデンタルミラーは、口腔内に差し入れられたデンタルミラーにおけるミラーの角度を自在に調整できると共に、ミラーによって写し出しの予定される写し出し対象部分を十分な明るさのもとでミラーに写し出し得ることから、デンタルミラーの使用対象者に対して無理な姿勢を要請したり、口を不自然な状態に開かせる等の不具合をなくし、同時に、デンタルミラーを用いて口腔内を視認する側にあっても、当該口腔内の視認のために無理な姿勢をとる必要が無く、患者や医師等の相互が無理の無い姿勢のままで、口腔内を確実且つ容易に視認し、治療や検査等をなすことができるデンタルミラーを提供することができる。
【発明を実施するための最良の形態】
【００１４】
以下、この発明を実施するための最良の形態に係るデンタルミラーＡについて説明する。
【００１５】
なお、ここで図１は、当該発明を実施するための最良の形態に係る典型的なデンタルミラーＡの一例を斜め上方から見て示している。また、図２は、このデンタルミラーＡを断面して、図３は、このデンタルミラーＡをミラー１１側から、図４は、このデンタルミラーＡを柄２０の後端部側から見て示している。
【００１６】
この発明を実施するための最良の形態に係る典型的なデンタルミラーＡは、歯科医療や口腔内検査等において口腔内にミラー１１部分を差し入れ、当該口腔内要部の視認に用いられるものであって、歯科用ミラー等の他の名称で称されることもある。
【００１７】
この実施をするための最良の形態にかかるデンタルミラーＡは、ミラー１１及び取付け部１２を有するミラー体１０と、このミラー体１０における取付け部１２の組み付けられる組付け部２０ａを一端側に備えた柄２０とを備えるデンタルミラーＡであって、前記ミラー体１０が、前記柄２０に備えられている操作手段ｙによって当該ミラー体１０におけるミラー１１の向きを変え得るように前記取付け部１２を前記柄２０の組付け部２０ａに組みつけてあると共に、前記柄２０の先端側、すなわち、ミラー体１０の備えられている側に照明手段２８を備えた構成としてある。
【００１８】
かかる構成からなるデンタルミラーＡにあっては、口腔内に差し入れられたデンタルミラーＡにおけるミラー１１の向きを容易に変更することができ、患部等の視認対象部分を確実に捕捉し、しかも、所定の明るさのもとで当該視認対象部分をミラー面１１ａに確実に写し出し得る特長を有している。
【００１９】
また、かかる患部等の視認対象部分の捕捉に際して、患者等の口部を無理に開きだす等被視認対象者に無理な負担を強いたり、視認者が無理な姿勢で視認作業をする必要もなく、視認対象部分を容易に、しかも、所定の明るさのもとで確実にミラー面１１ａに写し出して、的確な治療や検査等を施すことができる特長を有している。
【００２０】
なお、前記デンタルミラーＡを構成するミラー体１０は、ミラー１１及び当該ミラー１１の取付け部１２を備えるものであれば、いかなる形態をなすものであっても、また、いかなる素材によって構成してあってもよい。
【００２１】
また、前記デンタルミラーＡを構成する柄２０は、ミラー体１０における取付け部１２の組み付けられる組付け部２０ａを一端側に備え、しかも、当該柄２０に備えられている操作手段ｙによってミラー体１０におけるミラー１１の向きを変え得るように前記取付け部１２を前記組付け部２０ａに組みつけ得るものであれば、いかなる形態をなすものであっても、また、いかなる素材によって構成してあってもよい。
【００２２】
また、前記柄２０の先端側に備えられている照明手段２８は、当該柄２０の先端側に備えられて、この柄２０の先端側の前方を照らし得るものであれば、いかなる態様に備えられていても、また、いかなる種類のものであってもよい。かかる照明手段２８は、柄２０の先端側の前方側を照らす態様、典型的には、ミラー１１によって写し出される患部等対象面、ミラー面、又は、これらの双方を照らし得るように前記柄２０の先端側に備えた構成としてあって、例えば、白熱電球や蛍光灯や発光ダイオードランプ等のいかなる種類の光源を備えたものであってもよく、また、いかなる形態に備えられていてもよい。
【００２３】
また、前記柄２０に備えられている操作手段ｙは、当該操作手段ｙの操作によって、当該柄２０に備えられているミラー体１０におけるミラー１１の向きを変え得るものであれば、いかなる態様のものであっても、また、いかなる素材によって構成してあってもよい。この図示例にあっては、かかるミラー体１０の操作手段ｙとして操作ロッド２５を装備したデンタルミラーＡが示されているが、図示例以外の各種の操作ロッドや、操作レバーや、操作ワイヤー等の機械的な操作手段や、油圧やエアー圧等の各種流体を用いた操作手段や、モーター等の各種駆動手段による操作手段等、いかなる態様の操作手段であってもよい。
【００２４】
また、前記構成に係るデンタルミラーＡにおいて、前記柄２０が、筒状であって、その一端側に当該筒状をなす内部空間２１ｄに連続した半球状凹部２２ａを有する組付け部２０ａを備えた構成としてあり、前記ミラー体１０の取付け部１２が、この半球状凹部２２ａに組み入れられる半球状部１２ｂと当該半球状部１２ｂから突設されて先端側にミラー１１を備えたロッド状部１２ａとを備えた構成としてあり、前記柄２０の先端側から当該ロッド状部１２ａを突き出すように取付け部１２における半球状部１２ｂの半球状凸面１２ｂ’を該半球状凹部２２ａの面に接しさせて当該半球状凹部２２ａに取付け部１２の半球状部１２ｂを組み付けた構成のデンタルミラーＡにあっては、半球状凹部２２ａにおける半球状凹面と、取付け部１２とされる半球状部１２ｂの半球状凸面１２ｂ’とが互いに球面接触し、ミラー１１を備えたロッド状部１２ａの向きを自在且つ滑らかに変更可能とすることができる。
【００２５】
また、前記構成に係るデンタルミラーＡにおいて、前記柄２０に備えられている操作手段ｙが、半球状凹部２２ａの半球状凹面に半球状凸面１２ｂ’を接して備えられる半球状部１２ｂの底面１２ｂ”の中心から外れた位置を押すように備えられた操作ロッド２５とした構成のデンタルミラーＡにあっては、当該操作ロッド２５の押戻し操作によって、半球状部１２ｂの向きを円滑且つ自在に変更することができる。
【００２６】
また、前記構成に係るデンタルミラーＡにおいて、前記照明手段２８の光源が、発光ダイオードランプ２８ａとした構成のデンタルミラーＡにあっては、当該照明手段２８の設置、管理が容易とされ、照明時における不要な発熱もなく、十分な明るさをミラー１１の写しだし面にもたらし得る特長を有している。
【００２７】
ついで、図１〜図４に示される典型的なデンタルミラーＡについて具体的に説明する。
【００２８】
この図示例にかかるデンタルミラーＡは、ミラー１１及び取付け部１２を有するミラー体１０と、このミラー体１０における取付け部１２の組み付けられる組付け部２０ａを一端側に備えた柄２０とを備えるデンタルミラーＡであって、前記ミラー体１０が、前記柄２０に備えられている操作手段ｙによって当該ミラー体１０におけるミラー１１の向きを変え得るように前記取付け部１２を前記柄２０の組付け部２０ａに組みつけてあると共に、前記柄２０の先端側に照明手段２８を備えた構成としてある。
【００２９】
そして、前記柄２０が、筒状であって、その一端側に当該筒状をなす内部空間２１ｄに連続した半球状凹部２２ａを有する組付け部２０ａを備えた構成とし、また、前記ミラー体１０の取付け部１２が、この半球状凹部２２ａに組み入れられる半球状部１２ｂと当該半球状部１２ｂから突設されて先端側にミラー１１を備えたロッド状部１２ａとを備えた構成とし、前記柄２０の先端側から当該ロッド状部１２ａを突き出すように取付け部１２における半球状部１２ｂの半球状凸面１２ｂ’を該半球状凹部２２ａの面に接しさせて当該半球状凹部２２ａに取付け部１２の半球状部１２ｂを組み付けて構成してある。
【００３０】
また、前記柄２０に備えられている操作手段ｙを、半球状凹部２２ａの半球状凹面に半球状凸面１２ｂ’を接して備えられる半球状部１２ｂの底面１２ｂ”の中心から外れた位置を押すように備えられた操作ロッド２５で構成してある。
【００３１】
この図示例に係るミラー体１０は、いわゆる円盤状をなすミラー１１の一側部に取付け部１２を備えた構成、すなわち、この図示例にあっては当該ミラー１１から一体に突き出されているロッド状部１２ａと当該ロッド状部１２ａの他端側に一体に備えられている半球状部１２ｂとを備える取付け部１２を一体に備えた構成としてある。
【００３２】
この取付け部１２を構成する半球状部１２ｂは、球体の二分の一よりもやや小さい半球状部１２ｂとして構成されることが好ましい。すなわち、球体の中心を通る面と並行な面によって半球体よりもやや小さい半球状部１２ｂとして構成してある。
かかる半球状部１２ｂにおける半球状凸面１２ｂ’のほぼ頂部、すなわち、半球状部１２ｂの頂端部分から当該半球状部１２ｂを構成する仮想の球体における中心を通る仮想の線分を含むようにロッド状部１２ａを当該半球状部１２ｂと一体をなすように突設して、取付け部１２を構成してある。かかる半球状部１２ｂから突設されているロッド状部１２ａの先端部にミラー１１を一体に備えた構成としてある。
そして、このロッド状部１２ａを備えたミラー１１が、いわゆる写し出しに用いられる鏡面としてのミラー面１１ａを一方の面側に備えており、このミラー面１１ａの側で前記ロッド状部１２ａに対して所定の角度付けのなされた状態、すなわち、当該ミラー面１１ａとロッド状部１２ａとが１８０度以内の角度をもって連設してある。
【００３３】
かかるミラー体１０の組み付けられる組付け部２０ａを一端側に備えた柄２０は、典型的には筒状体によって構成してある。この柄２０に備えられるミラー体１０の組付け部２０ａは、ミラー体１０における取付け部１２を、当該柄２０に備えられている操作手段ｙによって操作することによって当該ミラー体１０におけるミラー１１の向きを変更し得るように構成してある。
【００３４】
かかる柄２０は、この図示例にあっては、筒体２１と、当該筒体２１の先端開口２１ａに当該筒体２１と一体となるように備えられる半球状キャップ体２２と、この筒体２１の後端開口２１ｂに当該筒体２１と一体となるように組み付けられている後部閉塞体２３とによって一本のロッド状をなすように構成してある。
【００３５】
そして、この筒体２１の先端開口２１ａに備えられる半球状キャップ体２２は、その内側に前記半球状部１２ｂを受け入れ得る半球状凹部２２ａを当該筒体２１における内部空間２１ｄに連続した態様で備えた構成としてあり、前記半球状部１２ｂが当該筒体２１内において確実に回転し得るように、当該筒体２１を円筒状とし、しかも、この円筒状筒体２１における直径寸法を前記取付け部１２をなす半球状部１２ｂの直径寸法よりやや大きめに構成してある。また、この半球状キャップ体２２の頂部には前記ミラー体１０の取付け部１２を構成するロッド状部１２ａが突き出され、かつ、ミラー１１を所定の向きに傾け得るようにロッド状部１２ａの回動されるやや大きめの穴２２ｂが設けてある。
【００３６】
また、この筒体２１の後端開口２１ｂを塞ぐ後部閉塞体２３は、例えば、プラスチック製の栓状体として構成することができる。そして、この後部閉塞体２３には、操作ロッド２５の挿通されるやや大きめの操作孔２３ａが設けてあると共に、当該柄２０内に装填した充電池や乾電池等の各種電源手段２７の一方の電極側に圧接する導電性支持ロッド２３ｂを備えた構成としてあって、筒体２１に嵌め入れた状態で当該筒体２１に止着されるようにしてある。
【００３７】
かかる筒体２１における比較的前部側に、この筒体２１の内部空間２１ｄを仕切る仕切り板２４が当該筒体２１に止着状態に設けてあり、この仕切り板２４によって当該内部空間２１ｄを、この筒体２１における筒中心線に直交する向きで遮蔽してある。そして、この仕切り板２４に前記操作ロッド２５の挿通されるやや大きめの操作孔２４ａが設けてある。また、この仕切り板２４における電源手段２７の装填される側、この図示例にあっては、前記後部閉塞体２３に突設されている導電性支持ロッド２３ｂに向き合うように導電性弾性片２４ｂが止着してある。
【００３８】
また、この仕切り板２４から前記後部閉塞体２３に向けて、当該筒体２１の筒中心線と並行な向きに該筒体２１の内側面から突き出すリブ２１ｃを前記電源手段２７の装填される間に設けてあって、このリブ２１ｃによって当該筒体２１内に装填された電源手段２７を所定位置に保持し得るようにしてある。
【００３９】
かかる柄２０における組付け部２０ａにミラー体１０の取付け部１２を組み付けてデンタルミラーＡを構成してある。
このデンタルミラーＡにおけるミラー体１０の取付け部１２を組み付ける組付け部２０ａは、この図示例にあっては、筒体２１と当該筒体２１の先端開口２１ａを塞ぐ半球状キャップ体２２によって構成してあり、ミラー体１０における取付け部１２を構成するロッド状部１２ａを当該半球状キャップ体２２の穴２２ｂから外方に突き出させた状態で、当該取付け部１２の半球状部１２ｂを筒体２１の内部空間２１ｄに連続されている当該半球状キャップ体２２の半球状凹部２２ａに受け入れ、この半球状部１２ｂの半球状凸面１２ｂ’を半球状凹部２２ａの半球状凹面で球面接触によって支承するようにしてある。
【００４０】
この結果、ミラー体１０は、半球状キャップ体２２の穴２２ｂからロッド状部１２ａ及びミラー１１を外方に突き出した状態で、組付け部２０ａである半球状凹部２２ａで取付け部１２の半球状部１２ｂの半球状凸面１２ｂ’を球面接触状態で支承され、ミラー１１の向きを自在に変更し得るように柄２０に組み付けられている。
【００４１】
かかる柄２０に備えられているミラー体１０におけるミラー１１の向きを調整する操作ロッド２５は、前記後部閉塞体２３の操作孔２３ａと仕切り板２４の操作孔２４ａとに挿通された状態で、その先端２５ａをミラー体１０の取付け部１２を構成する半球状部１２ｂにおける平らな底面１２ｂ”に設けてある半球状凹部１２ｃ面に当接させて当該柄２０内に装備されている。
【００４２】
かかる操作ロッド２５は、その先端２５ａが前記取付け部１２を構成する半球状部１２ｂに常時当接するように、当該操作ロッド２５に設けてある固定円板２５ｃと後部閉塞体２３との間に圧縮コイルバネ２５ｄを介装し、この圧縮コイルバネ２５ｄによって付勢するようにしてある。
【００４３】
また、この操作ロッド２５は、この図示例にあっては、ミラー体１０の取付け部１２を構成する半球状部１２ｂの平らな円形底面１２ｂ”における一つの仮想円の四等分位置毎に設けられている半球状凹部１２ｃに、その先端２５ａを当接するように備えられた４本の操作ロッド２５で構成してあり、例えば、ミラー面１１ａを上方または下方に傾ける位置と、当該ミラー面１１ａを右方または左方に傾ける位置とに当該各操作ロッド２５を設けてある。
【００４４】
また、前記操作ロッド２５の先端２５ａの常時当接されるミラー体１０における取付け部１２をなす半球状部１２ｂは、この半球状部１２ｂを常時半球状凹部２２ａに押しつけるように適宜の付勢手段によって付勢してあり、この図示例にあっては、この半球状部１２ｂの平らな底面１２ｂ”と前記仕切り板２４との間に介装されている圧縮コイルバネ２６の付勢によって、当該半球状部１２ｂの半球状凸面１２ｂ’を常時半球状凹部２２ａの半球状凹面に密着させてあり、ミラー体１０におけるミラー面１１ａが常時、所定の向きを維持し得るように構成してある。
【００４５】
このように取付け部１２における半球状部１２ｂを、圧縮コイルバネ２６で常時柄２０の先端側、すなわち、前記半球状キャップ体２２の半球状凹部２２ａに向けて押しつけられているミラー体１０は、前記操作ロッド２５の押し込み操作によって、そのミラー面１１ａの向きを、所定の位置から、目的とする向きに変更させることができる。
【００４６】
かかる操作ロッド２５によるミラー体１０の操作は、前記操作ロッド２５を各別に操作することによって、上下方向または左右方向に向けて傾け得ると共に、当該操作ロッド２５の複数本、例えば、２本の操作ロッド２５を同時に操作することによって、当該ミラー体１０を斜めの向きに傾けて用いることができる。
【００４７】
なお、この図示例にあっては、４本の操作ロッド２５を装備したデンタルミラーＡを示してあるが、操作対象とされるミラー体１０におけるミラー面１１ａの傾きの都合によっては、当該操作手段ｙを１本の操作ロッド２５で構成してあっても、また、２本以上の複数本の操作ロッド２５によって構成してあってもよい。
【００４８】
かかるデンタルミラーＡに備えられる照明手段２８は、当該デンタルミラーＡのミラー１１側を口腔内に差し入れた際に、柄２０の先端側の前方を照らすようにしてあり、例えば、当該ミラー１１によって写し出される対象面、ミラー面、または、これらの双方の面を、いずれかの態様のもとで、照らし得るように当該デンタルミラーＡ、特に、その柄２０の先端側に備えてある。
【００４９】
かかる照明手段２８は、例えば、前記ミラー１１によって写し出される対象面、ミラー面、または、これらの双方を照らし得るように当該デンタルミラーＡに備えられておれば、いかなる形態にそなえられていてもよく、また、いかなる種類の光源からなるものであってもよい。
【００５０】
図示例に係るデンタルミラーＡにあっては、当該照明手段２８の一態様として、発光ダイオードランプ２８ａを光源として用いたデンタルミラーＡが示されており、当該発光ダイオードランプ２８ａを、その先端を外部に露出させた態様で前記半球状キャップ体２２に埋設状態に備えた構成としてあり、電源手段２７の一態様として装備されている乾電池２７ａを用いて発光し得るように構成してある。
【００５１】
かかる乾電池２７ａは、前記筒体２１の各リブ２１ｃ間に装填されて、一方電極を前記導電性弾性片２４ｂに接した状態で、前記導電性支持ロッド２３ｂに他方電極を支持接触させるようにしてあり、この導電性弾性片２４ｂに接続された導電板２４ｃと、前記導電性支持ロッド２３ｂに接続された導電板２３ｃとを接続する回路内に発光ダイオードランプ２８ａとスイッチ２９とを備えた構成としてある。
【００５２】
なお、前記操作ロッド２５には、当該操作ロッド２５の操作に都合の良いように筒体２１から後方に突き出している端部にキャップ２５ｂを取り付けてある。
【００５３】
かかる構成からなるデンタルミラーＡは、ミラー１１側を口腔内に差し入れると共に、必要に応じて発光ダイオードランプ２８ａを備えた回路のスイッチ２９を操作して当該回路を閉回路とし、柄２０の先端側の前方側、例えば、ミラー１１によって写し出される対象面、ミラー面、または、これらの双方を照らすようになすと共に、必要に応じて前記操作ロッド２５でミラー面１１ａの向きを変更操作することによって、ミラー面１１ａに視認対象面を確実に把握して用いる。
【図面の簡単な説明】
【００５４】
【図１】典型的なデンタルミラーを示す斜視図
【図２】同断面図
【図３】同ミラー側から見た側面図
【図４】同柄の側から見た側面図
【符号の説明】
【００５５】
Ａ  デンタルミラー
ｙ  操作手段
１０  ミラー体
１１  ミラー
１２  取付け部
２０  柄
２０ａ  組付け部
２８  照明手段
【図１】
0004522918.tif 000002
【図２】
0004522918.tif 000003
【図３】
0004522918.tif 000004
【図４】
0004522918.tif 000005